(57)【特許請求の範囲】
【請求項１】
導光体と、該導光体の側面に配置した線状光源と、前記導光体の一端と前記線状光源を挟み込むようにＵ字状に折り曲げられた可撓性の反射シートと、前記導光体の光出射面が下を向くように前記導光体と前記線状光源を支持する枠体とを備えたバックライト装置において、
前記導光体の上面側に位置する前記反射シートを覆うように、フィルムからなる連結部材を配置し、
前記導光体の上面と前記枠体を前記連結部材を介して連結するとともに、前記導光体と前記連結部材の固定位置を前記反射シートと前記連結部材が重なる位置を避けた位置としたことを特徴とするバックライト装置。
【請求項２】
導光体と、該導光体の側面に配置した線状光源と、前記導光体の一端と前記線状光源を挟み込むようにＵ字状に折り曲げられた導電性部材付の可撓性の反射シートと、前記導光体の光出射面が下を向くように前記導光体と前記線状光源を支持する枠体とを備えたバックライト装置において、
絶縁性フィルムを前記導光体の上面側に位置する前記反射シートを覆うように配置し、この絶縁性フィルムを介して前記導光体と前記枠体とを連結するとともに、前記導光体と前記絶縁性フィルムの固定位置を前記反射シートと前記絶縁性フィルムが重なる位置を避けた位置としたことを特徴とするバックライト装置。
【発明の詳細な説明】
【０００１】
【発明の属する技術分野】
本発明は、液晶表示装置などの薄型表示装置の照明を行う場合に好適なエッジライト式のバックライト装置に関する。
【０００２】
【従来の技術】
エッジライト式のバックライト装置（実開平３−３７４２０号公報等）は、導光体の側面に線状光源を配置し、この線状光源を囲むように可撓性の反射シートをＵ字状に折り曲げて配置している。そしてこれらを、支持枠体に配置固定して組み立てられる。
【０００３】
【発明が解決しようとする課題】
しかしながら、支持枠体に導光体や光源等を配置した状態では、これらの固定が成されていないので、固定を行うまでの間の取扱によっては、導光体や光源等が枠体から外れるなどして組立てに支障をきたしたり、導光体や光源等の破損が生じるなどの問題が生じる。また、反射シートとして、アルミニウム等の反射性の良い金属を薄膜化して絶縁性の透明フィルムの間に挟持した導電性部材付きの可撓性反射シートを用いる場合、反射シートの端から金属部分が露出する場合もあるので、照明の対象となる表示装置の構造によっては、この露出金属を介した電気回路部品の短絡が生じる恐れもある。
【０００４】
そこで本発明は、組立て作業性の良いバックライト装置を提供することを課題の１つとする。また、反射シートとして導電性部材付の可撓性の反射シートを用いる場合に、この導電性部材による電気部品の短絡を防ぐことを課題の１つとする。また、短絡防止のために絶縁性フィルムを固定する場合に、その固定に伴って反射シートによる反射機能が低下するのを防ぎ、光出射面の状態を良好に保つことを課題の１つとする。
【０００５】
【課題を解決するための手段】
本発明は、導光体と、該導光体の側面に配置した線状光源と、前記導光体の一端と前記線状光源を挟み込むようにＵ字状に折り曲げられた可撓性の反射シートと、前記導光体の光出射面が下を向くように前記導光体と前記線状光源を支持する枠体とを備えたバックライト装置において、前記導光体の上面側に位置する前記反射シートを覆うように、フィルムからなる連結部材を配置し、前記導光体の上面と前記枠体を前記連結部材を介して連結するとともに、前記導光体と前記連結部材の固定位置を前記反射シートと前記連結部材が重なる位置を避けた位置としたことを特徴とする。
【０００６】
また、本発明は、導光体と、該導光体の側面に配置した線状光源と、前記導光体の一端と前記線状光源を挟み込むようにＵ字状に折り曲げられた導電性部材付の可撓性の反射シートと、前記導光体の光出射面が下を向くように前記導光体と前記線状光源を支持する枠体とを備えたバックライト装置において、絶縁性フィルムを前記導光体の上面側に位置する前記反射シートを覆うように配置し、この絶縁性フィルムを介して前記導光体と前記枠体とを連結するとともに、前記導光体と前記絶縁性フィルムの固定位置を前記反射シートと前記絶縁性フィルムが重なる位置を避けた位置としたことを特徴とする。
【０００７】
【発明の実施の形態】
以下本発明の実施例を図面を参照して説明する。図１は、バックライト装置１の平面図、図２は図１のＡ−Ａ断面図である。
【０００８】
バックライト装置１は、導光体２と、この導光体２の側面に配置した線状光源３と、前記導光体２の一端と前記線状光源３を挟み込むようにＵ字状に折り曲げられた可撓性の反射シート４と、前記導光体２の光出射面２ａが下を向くように導光体２と線状光源３を支持する枠体５とを備えた構成としている。
【０００９】
導光体２は、アクリル板等の透明な導光板６のみによって構成することもできるが、この例では、光反射面２ｂとなる上面に反射板７を配置し、光出射面２ａとなる下面に光拡散シート８、必要に応じてプリズムシート９、９を積層配置して構成している。
【００１０】
可撓性反射シート４は、反射性が良いアルミニウム等の導電性部材（金属）を薄膜化して電気絶縁性の高い透明なフィルムの間に挟持した導電性部材付構造のものを用いているが、透明なフィルムに反射性の良い絶縁性部材層を付加した構造のものを利用することもできる。この反射シート４は、その一端が導光体２の光出射面２ａ側に両面接着剤などの接着剤によって固定され、他端が導光体２の光反射面２ｂ側に両面接着剤などの接着剤によって固定され、光源３を円弧状に囲むように光源３との間に一定の間隔を保った状態に保持される。ここで、光源３に装着した１〜３個のリング状の間隔部材１０によって光源３と反射シート４の間に一定の間隔を保持する構成とすることが反射効率を高める上で好ましい。
【００１１】
導光体２の上面と枠体５の側面とは、電気絶縁性のフィルムからなる連結部材１１を介して固定している。この連結部材１１は、導光体２の上面側に位置する前記反射シート４を覆うに十分な大きさを有した覆部１１ａと、枠体５の側面側に折り曲げられて枠体５に固定される取付片１１ｂからなる略Ｔ字形状を成している。そして、この連結部材１１は、まず、取付片１１ｂを両面接着剤などの接着剤１２によって枠体５の側面に固定し、次に、覆部１１ａを導光体２の上面側に位置する反射シート４を覆うように折り曲げ、その先端部分を両面接着剤などの接着剤１３によって導光体２の上面に固定する。ここで、連結部材１１と導光体２の固定が反射シート４上で行われると、連結部材１１に加わる力によって反射シート４にシワなどが生じて反射シート４の反射機能が低下する恐れがあるので、これを防ぐために、連結部材１１と導光体２の固定位置、すなわち接着剤１３の取付位置は反射シート４と連結部材１１が平面的に重なる位置を避けた位置に設定している。その結果、連結部材１１に余分な力が加わったとしても、その力は反射シート４に加わらないので、反射シート４の形状を反射効率の良い初期状態に保つことができる。
【００１２】
このように、導光体２と枠体５を連結部材１１によって連結したので、この連結部材１１が、組立て作業中の枠体５に対する導光体２の位置ズレや導光体２の脱落を未然に防ぐように機能する。
【００１３】
また、反射シート４として上記のような導電性部材を含みそれを透明フィルム間に挟持した構造のものなどを用いた結果、反射シート４の一部から導電性部材が露出していたとしても、連結部材１１を絶縁性フィルムによって構成し、その覆部１１ａによって反射シート４の上面を幅広く覆うので、反射シート４の上側に電気回路部品を適宜配置することができる。すなわち、連結部材１１には、連結機能の他にも電気絶縁機能を持たせているので、連結部材１１の上の領域を電気回路部品の配置スペースとして有効に利用することができる。
【００１４】
バックライト装置１は、このような組立て状態で面照明として液晶表示装置などの表示装置に組み込んで使用することができる。しかしながら、導光体２の装着状態をより強固にするために、枠体５と対を成して導光体２を挟持するための別枠体（図示せず）を用意し、導光体２を挟持したこの別枠体と枠体５をネジなどによって固定することによってバックライト装置１を構成し、これを表示装置に組み込むようにすることが好ましい。
【００１５】
【発明の効果】
本発明は、導光体と、該導光体の側面に配置した線状光源と、前記導光体の一端と前記線状光源を挟み込むようにＵ字状に折り曲げられた可撓性の反射シートと、前記導光体の光出射面が下を向くように前記導光体と前記線状光源を支持する枠体とを備えたバックライト装置において、前記導光体の上面側に位置する前記反射シートを覆うように、フィルムからなる連結部材を配置し、前記導光体の上面と前記枠体を前記連結部材を介して連結するので、連結部材によって導光体と枠体の位置ズレ等を防いで組立て作業性を良好にすることができる。そして、導光体と連結部材の固定位置を反射シートと連結部材が重なる位置を避けた位置としたので、連結部材の固定に伴って反射シートが変形するのを防ぎ、反射シートの反射機能を良好な状態に保つことができる。
【００１６】
そしてまた、本発明は、本発明は、導光体と、該導光体の側面に配置した線状光源と、前記導光体の一端と前記線状光源を挟み込むようにＵ字状に折り曲げられた導電性部材付の可撓性の反射シートと、前記導光体の光出射面が下を向くように前記導光体と前記線状光源を支持する枠体とを備えたバックライト装置において、絶縁性フィルムを導光体の上面側に位置する反射シートを覆うように配置したので、反射シートに重なるように電気回路部品が配置され、その反射シートの導電性部材が一部露出していたとしても、この露出導電性部材による電気回路部品の短絡を絶縁性フィルムによって防ぐことができる。そして、この絶縁性フィルムを介して導光体と枠体とを連結したので、絶縁性フィルムによって導光体と枠体の位置ズレ等を防いで組立て作業性を良好にすることがでる。そして、導光体と絶縁性フィルムの固定位置を反射シートと絶縁性フィルムが重なる位置を避けた位置としたので、絶縁性フィルムの固定に伴って反射シートが変形するのを防ぎ、反射シートの反射機能を良好な状態に保つことができる。
【図面の簡単な説明】
【図１】本発明のバックライト装置の一実施例を示す平面図である。
【図２】図１のＡ−Ａ拡大断面図である。
【符号の説明】
１  バックライト装置
２  導光体
３  線状光源
４  反射シート
５  枠体
１１  連結部材
１２  接着剤
１３  接着剤
【図１】
0003806483.tif 000002
【図２】
0003806483.tif 000003